(57)【要約】【課題】従来から使用されている針金式ハンガー本体でも、合成樹脂製の扁平なハンガー本体でも、相性よく装着できる襟部用型くずれ及び潰れ防止具を提供する。【解決手段】襟部用型くずれ及び潰れ防止具１０は、衣類の襟部の内側後方部に位置する背面板部１と、背面板部１の両側に、背部から前方にかけて湾曲状に連設された襟側部形状保持板部２，３と、両側の襟側部形状保持板部２，３の上部どうしを連結する連結バー４とを有している。背面板部１の内側上部には、左右２箇所の抜け止め用鉤部５，６を設け、連結バー４の中央部の内側に、抜け止め用突片７を設けている。これを針金式ハンガー１１に装着すると、襟部用型くずれ及び潰れ防止具１０の襟側部形状保持板部２，３が、針金式ハンガー１１の両肩部１３の上部において、位置を保持され、これに襟付き衣類を掛けると、襟付き衣類の襟部が、丸みを帯びて立体的に保持されることになる。【選択図】  図３
2006255306.tif 000002
【特許請求の範囲】
【請求項１】
フック部および同フック部の下部に連設される両肩部を有する扁平状のハンガー本体の、前記フック部の上部から前記両肩部に装着される襟部用型くずれ及び潰れ防止具であって、
衣類の襟部の内側後方部に位置する背面板部と、
前記背面板部の両側に、背部から前方にかけて湾曲状に連設された襟側部形状保持板部と、
両側の前記襟側部形状保持板部の上部どうしを連結する連結バーと
を一体成形により備えたことを特徴とする襟部用型くずれ及び潰れ防止具。
【請求項２】
前記背面板部の内側に、ハンガー本体に対する抜け止め用鉤部を設けた請求項１記載の襟部用型くずれ及び潰れ防止具。
【請求項３】
前記連結バーに、ハンガー本体に対する抜け止め用突片を設けた請求項１または２に記載の襟部用型くずれ及び潰れ防止具。
【発明の詳細な説明】
【技術分野】
【０００１】
本発明は、特にクリーニング店において使用されるハンガーに装着、固定できて、クリーニングされた、ジャケット、シャツ等の襟付き衣類をハンガーに掛けたときに、衣類の襟部の型くずれ、および潰れを防止できるようにした、襟部用型くずれ及び潰れ防止具に関する。
【背景技術】
【０００２】
従来、クリーニング店において使用されるハンガーにあっては、種々のものが提供されており、例えば針金を折曲して構成したものや、合成樹脂によって一体的に構成されたものがある。
前記の針金で構成したハンガーにあっては、これに襟付き衣類等を掛けると、ハンガー自体に厚みがないため、衣類の襟部が型くずれし、また潰れるおそれがある。しかも、針金で構成する場合、ハンガー自体に厚みを設けることは難しい。
【０００３】
ところで、クリーニング店やクリーニング工場で仕上げられた襟付き衣類を吊しておくハンガーは、ハンガーのコストを顧客へのクリーニング代金に上乗せできないので、極力安価であることが望ましいことであるが、立体的に仕上げられた衣類の襟部が、輸送時、保管時、引き渡し時に型くずれしたり潰れたりするのは、製品価値が低下するので避けたいところである。
【０００４】
襟部を立体的に保持するハンガーとしては、合成樹脂製ハンガー本体に、襟形状保持部を一体的に形成したものがある（例えば、特許文献１〜８参照）。
また、ハンガー本体に、紙や合成樹脂で構成されたパッドを装着するか、または板状に構成されたものを立体的に組み立てて装着するものがある（例えば、特許文献９〜１３参照）。
【０００５】
【特許文献１】実用新案登録第３００２６４７号公報
【特許文献２】特開平１０−３２３２６７号公報
【特許文献３】実用新案登録第３０７４３６２号公報
【特許文献４】実用新案登録第３０８５５０２号公報
【特許文献５】実用新案登録第３０６５２７６号公報
【特許文献６】特開２０００−９３２８４号公報
【特許文献７】特開２０００−５１０４９号公報
【特許文献８】特開２００２−３６０９９５号公報
【特許文献９】実開平７−１８６７４号公報
【特許文献１０】実開平７−３０８５０号公報
【特許文献１１】実用新案登録第３０００８６９号公報
【特許文献１２】実用新案登録第３０３０９５２号公報
【特許文献１３】特開平１０−１２７４６２号公報
【発明の開示】
【発明が解決しようとする課題】
【０００６】
前掲の特許文献１〜８に開示された合成樹脂製の襟形状保持部付きハンガーでは、材料コストや成型コストを節減するため、また成型工程の簡素化を図るために、襟形状形成部の厚みをあまり大きくとることができない。したがって、襟付き衣類を掛けると、衣類の襟部が型くずれし、また襟周辺の圧迫により潰れるおそれがある。しかも、ハンガー自体に厚みを設けることは、針金で構成したハンガーよりは容易であるが、製品どうしの積み重ねが難しく、製品の輸送コストが高くなり、また保管スペースを多く占有するという問題が生じる。
【０００７】
また、特許文献９〜１３に開示された、襟形状形成部をハンガー本体とは別に設けて組み立てる構成のものでは、平面状の紙、ないし合成樹脂製の襟形状形成部を立体的に組み立ててハンガー本体に組み込む必要があり、取り付けの手間がかかり、作業性が悪く、また取り付けの際、固定が不十分なため、逆に型くずれの原因にもなりかねない。取り付ける相手のハンガー本体の形状も、特殊な形状にする必要があるため、既存のハンガー本体との相性が悪い。
【０００８】
現状のハンガー本体は、コストの面から、まだ半数程度が針金式のものであり、これを駆逐するような、襟形状形成部を有するハンガーは出現していない。
【０００９】
そこで本発明は、従来から使用されている針金式ハンガー本体でも、合成樹脂製の扁平なハンガー本体でも、相性よく装着できる襟部用型くずれ及び潰れ防止具を提供することを目的とする。
【課題を解決するための手段】
【００１０】
前記の課題を解決するため、本発明は、フック部および同フック部の下部に連設される両肩部を有する扁平状のハンガー本体の、前記フック部の上部から前記両肩部に装着される襟部用型くずれ及び潰れ防止具であって、衣類の襟部の内側後方部に位置する背面板部と、前記背面板部の両側に、背部から前方にかけて湾曲状に連設された襟側部形状保持板部と、両側の前記襟側部形状保持板部の上部どうしを連結する連結バーとを一体成形により備えたことを特徴とする襟部用型くずれ及び潰れ防止具である。
【００１１】
本発明の襟部用型くずれ及び潰れ防止具は、フック部および同フック部の下部に連設される両肩部を有する一般的な扁平状のハンガー本体に装着できるようになっており、背面板部と、襟側部形状保持部と、連結バーとが一体成形により形成されている。この襟部用型くずれ及び潰れ防止具を、ハンガー本体の上部のフック部から装着することにより、ハンガー本体の首部の前方に連結バーが、後方に背面板部が位置することになる。そして、ハンガー本体の首部の両側に、湾曲状に連設された襟側部形状保持板部が位置することになる。その状態でハンガー本体に襟付き衣類を掛けると、襟の両側が襟側部形状保持板部により立体的に保持されることになる。
【００１２】
前記背面板部の内側に、ハンガー本体に対する抜け止め用鉤部を設けることにより、特に、針金ハンガー本体の骨格部に抜け止め用鉤部が係止され、一旦襟部用型くずれ及び潰れ防止具をハンガー本体に装着した後は、容易に外れることがなくなる。
前記連結バーに、ハンガー本体に対する抜け止め用突片を設けることにより、特に、合成樹脂製ハンガー本体の横板のリブ部に抜け止め用突片が係止され、一旦襟部用型くずれ及び潰れ防止具をハンガー本体に装着した後は、容易に外れることがなくなる。
【発明の効果】
【００１３】
本発明によれば、次の効果を奏する。
１．針金で構成されたハンガーと、合成樹脂で構成されたハンガーのいずれにも、同じものをワンタッチで装着できる。
２．ワンタッチで装着することで、ハンガーに確実に固定されるため、振動などでずれることがなく、衣類の襟を確実に型くずれ、潰れを防ぐことができる。
３．針金で構成されたハンガー、合成樹脂で構成されたハンガーの独自の形状を損なわず、一体式として装着ができるため、衣類本来の形態を損なわず、襟の型くずれ、潰れを防ぐことができる。
４．合成樹脂で構成されており、ハンガー本体と同色のものが生産でき、また製品どうしの積み重ねができるため、生産コスト、輸送コストを低減することが可能である。
５．合成樹脂で構成されており、耐久性に優れている。
６．一体成型で構成されており、ハンガーに装着する際、組み立てる必要がないため、現場での作業性がいい。
７．襟の厚みを最小限にすることで、衣類のサイズによって調整の必要がなく、子供から大人の大きいサイズの衣類まで、幅広く使用できる。
８．装着する際、取り付け具を使わず、ハンガーのフック部に差し込むだけで使用することが可能である。
９．衣類（ジャケット類）には肩部にパッドが備わっており、肩部は型くずれしにくい機能を持っているため、本発明による型くずれ、潰れを重視することで、低コストで、衣類全体の本来の形状を保持できる。
【発明を実施するための最良の形態】
【００１４】
以下、本発明の実施の形態を図１〜図６を用いて説明する。
図１は、本発明の襟部用型くずれ及び潰れ防止具の実施の形態を示す斜視図、図２は図１のＡ−Ａ線断面図である。
【００１５】
これらの図において、襟部用型くずれ及び潰れ防止具１０は、衣類の襟部の内側後方部に位置する背面板部１と、背面板部１の両側に、背部から前方にかけて湾曲状に連設された襟側部形状保持板部２，３と、両側の襟側部形状保持板部２，３の上部どうしを連結する連結バー４とを有している。また、背面板部１の内側上部に、左右２箇所の抜け止め用鉤部５，６を設け、連結バー４の中央部の内側に、抜け止め用突片７を設けている。平面より見て、抜け止め用鉤部５，６の突出長と、抜け止め用突片７の突出長の和（ないしは、これに後述の合成樹脂製ハンガーの鏡板部の厚みを加えた値）を、背面板部１と連結バー４との間の間隔よりも長くすることで、連結バー４の弾性を利用した抜け止め作用を与えるようにしている。この襟部用型くずれ及び潰れ防止具１０は、ポリプロピレン、その他の一般的な熱可塑性合成樹脂で一体成形により製作される。
【００１６】
図３および図４は、一般的な針金式ハンガー１１に本実施の形態の襟部用型くずれ及び潰れ防止具１０を装着した状態を示す斜視図および正面図である。針金式ハンガー１１は、フック部１２と、両肩部１３と、ズボンやスカートを掛けて吊す掛け部１４とを有しており、フック部１２から襟部用型くずれ及び潰れ防止具１０を装着し、背面板部１の両側に設けた抜け止め用鉤部５，６が針金式ハンガー１１の両肩部１３の上部水平部１５に引っ掛かるようにし、また抜け止め用突片７が針金式ハンガー１１のフック部１２基端の枝分かれ部１６の間に位置するようにする。
【００１７】
そのように装着すると、襟部用型くずれ及び潰れ防止具１０の襟側部形状保持板部２，３が、針金式ハンガー１１の両肩部１３の上部において、位置を保持され、これに襟付き衣類を掛けると、襟付き衣類の襟部が、丸みを帯びて立体的に保持されることになる。
【００１８】
図５は、合成樹脂製ハンガー２０に、本実施の形態の襟部用型くずれ及び潰れ防止具１０を装着した状態を示す斜視図である。この合成樹脂製ハンガー２０は、フック部２１と、両肩部２２と、掛け部２３と、両肩部２２上部に形成された水平部２４と、フック部２１と両肩部２３の連設部に形成された鏡板部２５とを有している。この合成樹脂製ハンガー２０に襟部用型くずれ及び潰れ防止具１０を装着した場合、抜け止め用鉤部５，６が水平部２４に係止し、抜け止め用突片７が鏡板部２５に当接することで、連結バー４の弾力と抜け止め用突片７の突出長により抜け止め用鉤部５，６が前方に寄せ付けられ、襟部用型くずれ及び潰れ防止具１０は合成樹脂製ハンガー２０に対して容易には離脱しない状態に、安定に装着される。
【００１９】
このようにして合成樹脂製ハンガー２０に装着された襟部用型くずれ及び潰れ防止具１０は、それにかけられる襟付き衣類の襟部を、立体的に保持することになる。
【００２０】
図６は、別の形態の合成樹脂製ハンガー３０に、本実施の形態の襟部用型くずれ及び潰れ防止具１０を装着した状態を示す正面図である。この合成樹脂製ハンガー３０は、フック部３１と、両肩部３２と、掛け部３３と、フック部３１と両肩部３２の連設部に形成された鏡板部３４とを有しているが、図５の合成樹脂製ハンガー２０のような水平部２４を有しない形態となっている。この合成樹脂製ハンガー３０に襟部用型くずれ及び潰れ防止具１０を装着した場合、抜け止め用鉤部５，６が鏡板部３４の両側に位置することで左右のガタつきを防止し、抜け止め用突片７が鏡板部３４に当接することで、連結バー４の弾力と抜け止め用突片７の突出長により抜け止め用鉤部５，６が前方に寄せ付けられ、襟部用型くずれ及び潰れ防止具１０は合成樹脂製ハンガー３０に対して容易には離脱しない状態に、安定に装着される。合成樹脂成形の場合、鏡板部３４はその周囲の縁部に比べて厚みが薄く形成されているので、万一襟部用型くずれ及び潰れ防止具１０が上方に抜けようとしても、抜け止め用突片７が鏡板部３４の縁部の段差に引っ掛かり、それ以上抜けなくなる。
【００２１】
このようにして合成樹脂製ハンガー３０に装着された襟部用型くずれ及び潰れ防止具１０は、それにかけられる襟付き衣類の襟部を、立体的に保持することになる。
【産業上の利用可能性】
【００２２】
本発明は、針金式ハンガーや合成樹脂製の扁平なハンガーに対して、相性よく装着できる襟部用型くずれ及び潰れ防止具として、クリーニング業界はもちろん、家庭用品の分野にも好適に利用することができる。
【図面の簡単な説明】
【００２３】
【図１】本発明の襟部用型くずれ及び潰れ防止具の実施の形態を示す斜視図である。
【図２】図１のＡ−Ａ線断面図である。
【図３】一般的な針金式ハンガーに本実施の形態の襟部用型くずれ及び潰れ防止具を装着した状態を示す斜視図である。
【図４】一般的な針金式ハンガーに本実施の形態の襟部用型くずれ及び潰れ防止具を装着した状態を示す正面図である。
【図５】合成樹脂製ハンガーに、本実施の形態の襟部用型くずれ及び潰れ防止具を装着した状態を示す斜視図である。
【図６】別の形態の合成樹脂製ハンガーに、本実施の形態の襟部用型くずれ及び潰れ防止具を装着した状態を示す正面図である。
【符号の説明】
【００２４】
１  背面板部
２，３  襟側部形状保持板部
４  連結バー
５，６  抜け止め用鉤部
７  抜け止め用突片
１０  襟部用型くずれ及び潰れ防止具
１１  針金式ハンガー
１２  フック部
１３  両肩部
１４  掛け部
１５  水平部
１６  枝分かれ部
２０  合成樹脂製ハンガー
２１  フック部
２２  両肩部
２３  掛け部
２４  水平部
２５  鏡板部
３０  合成樹脂製ハンガー
３１  フック部
３２  両肩部
３３  掛け部
３４  鏡板部
【図１】
2006255306.tif 000003
【図２】
2006255306.tif 000004
【図３】
2006255306.tif 000005
【図４】
2006255306.tif 000006
【図５】
2006255306.tif 000007
【図６】
2006255306.tif 000008